【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
サーバおよび当該サーバとネットワークを介して接続可能な携帯電話とからなり、前記サーバから前記携帯電話に画像を配信する画像配信システムであって、
前記携帯電話は、
電子メールの送受信に用いられるメールアドレスが設定されており、
ユーザによる選択に用いられる操作部と、
前記サーバからの指示により電子メールを送受信可能な電子メール送受信手段と、
画像配信への登録要求を送信する手段と
を有し、
前記サーバは、
電子メールの送受信に用いられるサーバメールアドレスが設定されており、
画像配信に登録されている携帯電話のメールアドレスが記述されたメール配信会員リストと、配信する画像データとが格納された記憶部と、
前記携帯電話からの画像配信への登録要求を受信したとき、前記携帯電話に、前記サーバメールアドレス、および、前記携帯電話の電子メール送受信手段に前記送信したサーバメールアドレスが宛先に設定され前記携帯電話のメールアドレスが発信元に設定された電子メールを前記サーバに対して送信させる指示を送信する手段と、
前記指示に応じて前記携帯電話から送信された電子メールの発信元から、前記携帯電話のメールアドレスを特定し前記メール配信会員リストに登録する手段と、
前記画像データが前記記憶部に追加されたとき、当該追加された画像データのリンク先が設定された電子メールを作成する手段と、
当該作成された電子メールを前記メール配信会員リストに登録されているメールアドレスに対して同報送信する手段と
を有し、
前記携帯電話は、前記操作部による選択に応じて、前記同報送信された電子メールに設定されたリンク先へのアクセス要求を送信し、
前記サーバは、前記携帯電話からのアクセス要求に基づいて、前記追加された画像データを読み出し、前記携帯電話に送信する
ことを特徴とする画像配信システム。
【請求項２】
サーバおよび当該サーバとネットワークを介して接続可能な携帯電話とからなるネットワークシステムにおいて、前記サーバから前記携帯電話に画像を配信する画像配信方法であって、
ユーザによる選択に応じて、前記携帯電話が画像配信への登録要求を送信するステップと、
前記携帯電話からの画像配信への登録要求に応じて、前記サーバが、サーバメールアドレス、および、当該送信したサーバメールアドレスが宛先に設定され前記携帯電話のメールアドレスが発信元に設定された電子メールを前記サーバに対して送信させる指示を、前記携帯電話に送信するステップと、
前記サーバが、前記指示に応じて前記携帯電話から送信された電子メールの発信元から、前記携帯電話のメールアドレスを特定し、当該特定された携帯電話のメールアドレスに基づいてメール配信会員リストを作成し、記憶部に記憶するステップと、
画像データが前記記憶部に追加されたとき、前記サーバが、当該追加された画像データのリンク先が設定された電子メールを作成し、当該作成した電子メールを前記メール配信会員リストに記載されているメールアドレスに対して同報送信するステップと、
ユーザによる選択に応じて、前記携帯電話が、前記同報送信された電子メールに設定されたリンク先へのアクセス要求を送信するステップと、
前記サーバが、前記携帯電話からのアクセス要求に基づいて、前記追加された画像データを読み出し、前記携帯電話に送信するステップと
を有することを特徴とする画像配信方法。
【請求項３】
電子メールの送受信に用いられるメールアドレスが設定され、ユーザによる選択に用いられる操作部と、電子メールを送受信可能な電子メール送受信手段と、画像配信への登録要求を送信する手段と、前記操作部による選択に応じて電子メールに設定されたリンク先へのアクセス要求を送信する手段とを有する携帯電話に対して、ネットワークを介して画像を配信する画像配信サーバであって、
電子メールの送受信に用いられるサーバメールアドレスが設定されており、
画像配信に登録されている携帯電話のメールアドレスが記述されたメール配信会員リストと、配信する画像データとが格納された記憶部と、
前記携帯電話からの画像配信への登録要求を受信したとき、前記携帯電話に、前記サーバメールアドレス、および、前記携帯電話の電子メール送受信手段に前記送信したサーバメールアドレスが宛先に設定され前記携帯電話のメールアドレスが発信元に設定された電子メールを前記サーバに対して送信させる指示を送信する手段と、
前記指示に応じて前記携帯電話から送信された電子メールの発信元から、前記携帯電話のメールアドレスを特定し前記メール配信会員リストに登録する手段と、
前記画像データが前記記憶部に追加されたとき、当該追加された画像データのリンク先が設定された電子メールを作成する手段と、
当該作成された電子メールを前記メール配信会員リストに登録されているメールアドレスに対して同報送信する手段と
を有し、
前記サーバは、前記携帯電話から送信された前記同報送信された電子メールのリンク先へのアクセス要求に基づいて、前記追加された画像データを読み出し、前記携帯電話に送信する
ことを特徴とする画像配信サーバ。
【手続補正２】
【補正対象書類名】明細書
【補正対象項目名】０００９
【補正方法】変更
【補正の内容】
【０００９】
しかしながら、従来はプル型のサービスしか存在しなかった。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
そこで、本発明の目的は、従来のプル型のサービスに対してプッシュ型の画像配信のサービスを提供することが出来る画像配信システム及びその方法を提供することにある。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
上記本発明の目的は、サーバおよび当該サーバとネットワークを介して接続可能な携帯電話とからなり、前記サーバから前記携帯電話に画像を配信する画像配信システムであって、前記携帯電話は、電子メールの送受信に用いられるメールアドレスが設定されており、ユーザによる選択に用いられる操作部と、前記サーバからの指示により電子メールを送受信可能な電子メール送受信手段と、画像配信への登録要求を送信する手段とを有し、前記サーバは、電子メールの送受信に用いられるサーバメールアドレスが設定されており、画像配信に登録されている携帯電話のメールアドレスが記述されたメール配信会員リストと、配信する画像データとが格納された記憶部と、前記携帯電話からの画像配信への登録要求を受信したとき、前記携帯電話に、前記サーバメールアドレス、および、前記携帯電話の電子メール送受信手段に前記送信したサーバメールアドレスが宛先に設定され前記携帯電話のメールアドレスが発信元に設定された電子メールを前記サーバに対して送信させる指示を送信する手段と、前記指示に応じて前記携帯電話から送信された電子メールの発信元から、前記携帯電話のメールアドレスを特定し前記メール配信会員リストに登録する手段と、前記画像データが前記記憶部に追加されたとき、当該追加された画像データのリンク先が設定された電子メールを作成する手段と、当該作成された電子メールを前記メール配信会員リストに登録されているメールアドレスに対して同報送信する手段とを有し、前記携帯電話は、前記操作部による選択に応じて、前記同報送信された電子メールに設定されたリンク先へのアクセス要求を送信し、前記サーバは、前記携帯電話からのアクセス要求に基づいて、前記追加された画像データを読み出し、前記携帯電話に送信することを特徴とする画像配信システムによって達成される。本発明によれば、いわゆるプッシュ型のサービスを提供することができ、さらにユーザがいちいち画像配信のメニューを読み出す手間を省くことが出来る。また、メールインターフェイスであってもメールアドレスを正確に入手することが出来る。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】変更
【補正の内容】
【００３２】
上記本発明の目的は、サーバおよび当該サーバとネットワークを介して接続可能な携帯電話とからなるネットワークシステムにおいて、前記サーバから前記携帯電話に画像を配信する画像配信方法であって、ユーザによる選択に応じて、前記携帯電話が画像配信への登録要求を送信するステップと、前記携帯電話からの画像配信への登録要求に応じて、前記サーバが、サーバメールアドレス、および、当該送信したサーバメールアドレスが宛先に設定され前記携帯電話のメールアドレスが発信元に設定された電子メールを前記サーバに対して送信させる指示を、前記携帯電話に送信するステップと、前記サーバが、前記指示に応じて前記携帯電話から送信された電子メールの発信元から、前記携帯電話のメールアドレスを特定し、当該特定された携帯電話のメールアドレスに基づいてメール配信会員リストを作成し、記憶部に記憶するステップと、画像データが前記記憶部に追加されたとき、前記サーバが、当該追加された画像データのリンク先が設定された電子メールを作成し、当該作成した電子メールを前記メール配信会員リストに記載されているメールアドレスに対して同報送信するステップと、ユーザによる選択に応じて、前記携帯電話が、前記同報送信された電子メールに設定されたリンク先へのアクセス要求を送信するステップと、前記サーバが、前記携帯電話からのアクセス要求に基づいて、前記追加された画像データを読み出し、前記携帯電話に送信するステップとを有することを特徴とする画像配信方法によって達成される。本発明によれば、いわゆるプッシュ型のサービスを提供することが出来る。
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】変更
【補正の内容】
【００４６】
上記本発明の目的は、電子メールの送受信に用いられるメールアドレスが設定され、ユーザによる選択に用いられる操作部と、電子メールを送受信可能な電子メール送受信手段と、画像配信への登録要求を送信する手段と、前記操作部による選択に応じて電子メールに設定されたリンク先へのアクセス要求を送信する手段とを有する携帯電話に対して、ネットワークを介して画像を配信する画像配信サーバであって、電子メールの送受信に用いられるサーバメールアドレスが設定されており、画像配信に登録されている携帯電話のメールアドレスが記述されたメール配信会員リストと、配信する画像データとが格納された記憶部と、前記携帯電話からの画像配信への登録要求を受信したとき、前記携帯電話に、前記サーバメールアドレス、および、前記携帯電話の電子メール送受信手段に前記送信したサーバメールアドレスが宛先に設定され前記携帯電話のメールアドレスが発信元に設定された電子メールを前記サーバに対して送信させる指示を送信する手段と、前記指示に応じて前記携帯電話から送信された電子メールの発信元から、前記携帯電話のメールアドレスを特定し前記メール配信会員リストに登録する手段と、前記画像データが前記記憶部に追加されたとき、当該追加された画像データのリンク先が設定された電子メールを作成する手段と、当該作成された電子メールを前記メール配信会員リストに登録されているメールアドレスに対して同報送信する手段とを有し、前記サーバは、前記携帯電話から送信された前記同報送信された電子メールのリンク先へのアクセス要求に基づいて、前記追加された画像データを読み出し、前記携帯電話に送信することを特徴とする画像配信サーバによって達成される。本発明によれば、いわゆるプッシュ型のサービスを提供することが出来る。
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】変更
【補正の内容】
【００５８】
本発明によれば、従来のプル型のサービスにはない、プッシュ型の画像配信サービスを提供することが出来る。
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】変更
【補正の内容】
【００６１】
本発明は、毎日更新される画像の情報を電子メールでユーザに通知し、ユーザは受信した電子メールに設定されたリンクを操作することにより、最新の画像データをダウンロードするように構成し、いわゆるプッシュ型のサービスのシステムを提供することを特徴とする。